Podtech/llm-jp-corpus-v4-ja_patent huggingface dataset:
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
搬送される記録媒体に、インクを吐出して情報を印刷するヘッドと、
前記ヘッドに対向配置されるプラテンと、
前記ヘッドを搭載したものであって、キャリッジ移動機構によって、前記ヘッドと前記プラテンが対峙する印刷位置と、前記印刷位置から離れた待機位置との間を移動可能に設けられたキャリッジと、
前記印刷位置において、前記ヘッドと前記プラテンとの間隙を予め設定された寸法に保つ、前記プラテンおよび／または前記キャリッジに設けられた間隙形成部と、を備えることを特徴とするインクジェットプリンター。
【請求項２】
前記間隙形成部は、前記プラテンおよび／または前記キャリッジの前記記録媒体の搬送領域以外の領域に設けられた、前記ヘッドと前記プラテンが対峙する対峙方向に突出する３箇所以上の突起であることを特徴とする請求項１に記載のインクジェットプリンター。
【請求項３】
前記プラテンは、前記記録媒体が搬送される搬送領域において前記記録媒体を吸引する吸引機構を有することを特徴とする請求項１に記載のインクジェットプリンター。
【請求項４】
前記間隙形成部は、前記プラテンおよび／または前記キャリッジの前記搬送領域以外の領域に前記記録媒体の搬送方向に沿って設けられた、前記ヘッドと前記プラテンが対峙する対峙方向に突出する２本以上のリブであることを特徴とする請求項１または３に記載のインクジェットプリンター。
【手続補正２】
【補正対象書類名】明細書
【補正対象項目名】０００８
【補正方法】変更
【補正の内容】
【０００８】
（適用例１）搬送される記録媒体に、インクを吐出して情報を印刷するヘッドと、前記ヘッドに対向配置されるプラテンと、前記ヘッドを搭載したものであって、キャリッジ移動機構によって、前記ヘッドと前記プラテンが対峙する印刷位置と、前記印刷位置から離れた待機位置との間を移動可能に設けられたキャリッジと、前記印刷位置において、前記ヘッドと前記プラテンとの間隙を予め設定された寸法に保つ、前記プラテンおよび／または前記キャリッジに設けられた間隙形成部とを、備えることを特徴とするインクジェットプリンター。
【手続補正３】
【補正対象書類名】明細書
【補正対象項目名】００１０
【補正方法】変更
【補正の内容】
【００１０】
（適用例２）前記間隙形成部は、前記プラテンおよび／または前記キャリッジの前記記録媒体の搬送領域以外の領域に設けられた、前記ヘッドと前記プラテンが対峙する対峙方向に突出する３箇所以上の突起であることを特徴とする上記のインクジェットプリンター。
【手続補正４】
【補正対象書類名】明細書
【補正対象項目名】００１３
【補正方法】変更
【補正の内容】
【００１３】
（適用例４）前記間隙形成部は、前記プラテンおよび／または前記キャリッジの前記搬送領域以外の領域に前記記録媒体の搬送方向に沿って設けられた、前記ヘッドと前記プラテンが対峙する対峙方向に突出する２本以上のリブであることを特徴とする上記のインクジェットプリンター。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
噴射ノズル面に形成された噴射ノズルから液体を噴射する液体噴射ヘッドと、
前記噴射ノズル面に当接しながら回転して前記噴射ノズル面の付着物を払拭する複数の突状部と、前記突状部の間に設けられ、前記噴射ノズルから噴射された前記液体を受ける凹部とを有する円筒状部材とを備えた
ことを特徴とする液体噴射装置。
【請求項２】
請求項１に記載の液体噴射装置において、
前記液体噴射ヘッドは同じ液体を噴射するノズルを複数有するノズル列を有し、
前記円筒状部材の回転軸は前記ノズル列に沿うように配置され、
前記円筒状部材および前記突状部は前記ノズル列の長さより長い
ことを特徴とする液体噴射装置。
【請求項３】
請求項２に記載の液体噴射装置において、
前記凹部の底面は前記回転軸を中心軸とする円筒面の一部である
ことを特徴とする液体噴射装置。
【請求項４】
請求項２に記載の液体噴射装置において、
前記凹部の底面は平面である
ことを特徴とする液体噴射装置。
【請求項５】
請求項３または４のいずれか１項に記載の液体噴射装置において、
前記液体噴射ヘッドは複数の並んだ前記ノズル列を有し、前記凹部の底面の前記ノズル列の並んだ方向の距離は複数の前記ノズル列のうちの端の列間距離より長い
ことを特徴とする液体噴射装置。
【請求項６】
請求項２に記載の液体噴射装置において、
前記突状部の最外面は前記回転軸を中心とする円弧である
ことを特徴とする液体噴射装置。
【請求項７】
請求項６に記載の液体噴射装置において、
前記液体噴射ヘッドは複数の並んだノズル列を有し、
前記突状部の最外面の外周距離は前記複数の前記ノズル列のうちの端の列間距離より長い
ことを特徴とする液体噴射装置。
【請求項８】
請求項１〜請求項７のいずれか一項に記載の液体噴射装置において、
前記凹部の深さは、前記液体噴射ヘッドに付着した液体が接しない深さである
ことを特徴とする液体噴射装置。
【請求項９】
請求項１〜請求項８のいずれか一項に記載の液体噴射装置において、
前記円筒状部材、前記突状部は多孔質材であり、前記円筒状部材の中心には、軸方向の少なくとも一端が吸引部に連通する中空部を有する
ことを特徴とする液体噴射装置。
【請求項１０】
請求項１〜請求項８のいずれか一項に記載の液体噴射装置において、
前記円筒状部材、前記突状部は弾性材であり、前記凹部の底面は多孔質材であり、前記円筒状部材の中心には、軸方向の両端側が、若しくは軸方向の一端側が閉じられ他端側が吸引部に連通する中空部を有し、
前記円筒状部材は前記中空部と前記多孔質材とを連通する吸引孔を有する
ことを特徴とする液体噴射装置。
【手続補正書】
【提出日】平成26年6月9日(2014.6.9)
【手続補正１】
【補正対象書類名】明細書
【補正対象項目名】００２７
【補正方法】変更
【補正の内容】
【００２７】
ランプ１５２及びミラー１５３は、第１光学台１５９に取り付けられており、ミラー１５５及びミラー１５６は、不図示の第２光学台に取り付けられている。第１光学台１５９及び第２光学台は、リーダ部本体１５０ａの内部に収容されている。また、第１光学台１５９及び第２光学台は、不図示のワイヤによって不図示のモータに結合されており、モータの回転駆動により原稿台ガラス３と平行（図１に示す矢印方向）に移動制御される。第１光学台１５９及び第２光学台は、不図示のポジションセンサにより検知される位置を基準として、モータを正回転又は逆回転することにより移動し、原稿台ガラス３に固定的に載置された原稿Ｄを光学的に走査する。ＣＣＤ１５８は、ミラー１５３，１５５，１５６を介してレンズ１５７に導かれ、レンズ１５７によってＣＣＤ１５８に集光された反射光を光電変換し、電子的な画像信号として出力する。
【手続補正２】
【補正対象書類名】図面
【補正対象項目名】図１
【補正方法】変更
【補正の内容】
【図１】
2012257014.tif 000001
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
第１のセキュリティ機能を有する電子機器であって、
前記第１のセキュリティ機能の解除を指示する指示手段と、
前記第１のセキュリティ機能よりもセキュリティレベルが高い第２のセキュリティ機能を有する装置が前記電子機器に装着されたことを検知する検知手段と、
前記指示手段の指示に応答して前記第１のセキュリティ機能を解除してからの経過時間を計測する計測手段と、
前記検知手段が前記装置の装着を検知する前に、或いは前記装置の動作が有効になる前に、前記計測手段により計測された前記経過時間が所定時間を超えたかどうかを判定する判定手段と、
前記判定手段により前記経過時間が前記所定時間を超えたと判定されると、解除されている前記第１のセキュリティ機能を再度有効にする有効化処理手段と、
を有することを特徴とする電子機器。
【請求項２】
前記電子機器の電源がオフ／オンされた回数を取得する取得手段を更に有し、
前記判定手段は、前記検知手段が前記装置の装着を検知する前に、或いは前記装置の動作が有効になる前に、前記回数が所定回数を超えたかどうかを更に判定し、
前記有効化処理手段は、前記判定手段により、前記経過時間が前記所定時間を超えた、或いは、前記回数が前記所定回数を超えたと判定されると、解除されている前記第１のセキュリティ機能を有効にする
ことを特徴とする請求項１に記載の電子機器。
【請求項３】
前記指示手段は、前記装置の装着がユーザ操作によって指示されたことに応じて、前記第１のセキュリティ機能の解除を指示することを特徴とする請求項１又は２に記載の電子機器。
【請求項４】
前記有効化処理手段が前記第１のセキュリティ機能を有効にできない場合、前記第１のセキュリティ機能を有効にできないことをユーザ或いは管理者に通知する通知手段を更に有することを特徴とする請求項１乃至３のいずれか１項に記載の電子機器。
【請求項５】
前記第１のセキュリティ機能は、パスワードによるセキュリティ機能であり、
前記第２のセキュリティ機能は、暗号化によるセキュリティ機能である
ことを特徴とする請求項１乃至４のいずれか１項に記載の電子機器。
【請求項６】
第１のセキュリティ機能を有する電子機器の制御方法であって、
前記第１のセキュリティ機能の解除を指示する指示工程と、
前記第１のセキュリティ機能よりもセキュリティレベルが高い第２のセキュリティ機能を有する装置が前記電子機器に装着されたことを検知する検知工程と、
前記指示工程における指示に応答して前記第１のセキュリティ機能を解除してからの経過時間を計測する計測工程と、
前記検知工程で前記装置の装着が検知される前に、或いは前記装置の動作が有効になる前に、前記計測工程で計測された前記経過時間が所定時間を超えたかどうかを判定する判定工程と、
前記判定工程で前記経過時間が前記所定時間を超えたと判定されると、解除されている前記第１のセキュリティ機能を再度有効にする有効化処理工程と、
を有することを特徴とする電子機器の制御方法。
【手続補正２】
【補正対象書類名】明細書
【補正対象項目名】００１２
【補正方法】変更
【補正の内容】
【００１２】
本発明の特徴は、電子機器が本来有するセキュリティ機能に、よりセキュリティレベルの高いセキュリティ機能を追加する場合における、セキュリティ・ホールの発生を防止することにある。
【手続補正３】
【補正対象書類名】明細書
【補正対象項目名】００１３
【補正方法】変更
【補正の内容】
【００１３】
上記目的を達成するために本発明の一態様に係る電子機器は以下のような構成を備える。即ち、
第１のセキュリティ機能を有する電子機器であって、
前記第１のセキュリティ機能の解除を指示する指示手段と、
前記第１のセキュリティ機能よりもセキュリティレベルが高い第２のセキュリティ機能を有する装置が前記電子機器に装着されたことを検知する検知手段と、
前記指示手段の指示に応答して前記第１のセキュリティ機能を解除してからの経過時間を計測する計測手段と、
前記検知手段が前記装置の装着を検知する前に、或いは前記装置の動作が有効になる前に、前記計測手段により計測された前記経過時間が所定時間を超えたかどうかを判定する判定手段と、
前記判定手段により前記経過時間が前記所定時間を超えたと判定されると、解除されている前記第１のセキュリティ機能を再度有効にする有効化処理手段と、を有することを特徴とする。
【手続補正４】
【補正対象書類名】明細書
【補正対象項目名】００１４
【補正方法】変更
【補正の内容】
【００１４】
本発明によれば、電子機器が本来有するセキュリティ機能に、よりセキュリティレベルの高いセキュリティ機能を追加する場合におけるセキュリティ・ホールの発生を防止できる。これにより、セキュリティ機能を実行中の電子機器に対して、より高いセキュリティレベルのセキュリティ機能を有する装置を安全、且つ確実に装着できるという効果がある。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
光電変換部で生じた電荷が転送される読み出しノードと、前記読み出しノードに転送された電荷を電圧に変換して信号線へ出力する出力部と、前記読み出しノードの電位を所定の電位にするリセットトランジスタと、スイッチとを有する画素を複数有する撮像装置であって、
複数の前記スイッチの各々は、第１ノードと前記第１ノードと異なるノードである第２ノードとを有し、
複数の前記リセットトランジスタの各々は、リセット電圧が供給された第３ノードと、前記第３ノードとは異なるノードである第４ノードとを有し、
前記第１ノードと前記第４ノードとが、前記読み出しノードに接続されており、
所定数の前記第２ノードは、共通のバイパス配線に接続されていることを特徴とする撮像装置。
【請求項２】
複数の前記読み出しノードに転送された電荷は、複数の前記スイッチおよび前記バイパス配線を介して加算されることを特徴とする請求項１に記載の撮像装置。
【請求項３】
前記光電変換部と前記第１ノードとの聞には転送部が配されていることを特徴とする請求項１または２のいずれかに記載の撮像装置。
【請求項４】
第１の色の画素と前記第１の色とは異なる第２の色の画素とが交互に配置され、複数の前記第１の色の画素に含まれる複数の前記スイッチの第２ノードは、第１のバイパス配線に共通に接続され、複数の前記第２の色の画素に含まれる複数の前記スイッチの第２ノードは、第２のバイパス配線に共通に接続されることを特徴とする請求項１〜３のいずれか１項に記載の撮像装置。
【請求項５】
複数の前記画素が行列状に配され、各画素列に複数の信号線が配されていることを特徴とする請求項１〜４のいずれか１項に記載の撮像装置。
【請求項６】
複数の前記画素が行列状に配され、各画素列に複数の信号線が配されており、
各画素列において第１の色の画素と前記第１の色とは異なる第２の色の画素とが交互に配置され、
複数の前記第１の色の画素に含まれる複数の前記スイッチの第２ノードは第１のバイパス配線に共通に接続され、複数の前記第２の色の画素に含まれる複数の前記スイッチの第２ノードは第２のバイパス配線に共通に接続され、前記第１の色の画素の信号は第１の信号線に出力され、前記第２の色の画素の信号は第２の信号線に出力されることを特徴とする請求項１に記載の撮像装置。
【請求項７】
前記第１のバイパス配線と前記第２のバイパス配線とは電気的に分離されていることを特徴とする請求項６に記載の撮像装置。
【請求項８】
前記出力部は正転アンプを有しており、
前記第１のバイパス配線と前記第２の信号線との聞の距離は、前記第１のバイパス配線と前記第１の信号線との聞の距離よりも大きいことを特徴とする請求項６に記載の撮像装置。
【請求項９】
前記読み出しノードに、第１光電変換部で生じた電荷と、第２光電変換部で生じた電荷が空乏転送されることを特徴とする請求項１〜８のいずれか１項に記載の撮像装置。
【請求項１０】
光電変換部で生じた電荷が転送される読み出しノードと、前記読み出しノードに転送された電荷を電圧に変換して信号線へ出力する出力部と、前記読み出しノードの電圧をリセットするリセットトランジスタと、スイッチとを有する画素を複数有する撮像装置の駆動方法であって、
複数の前記スイッチの各々は、第１ノードと前記第１ノードと異なるノードである第２ノードとを有し、
複数の前記リセットトランジスタの各々は、リセット電圧が供給された第３ノードと、前記第３ノードとは異なるノードである第４ノードとを有し、
前記第１ノードと前記第４ノードとが、前記読み出しノードに接続されており、
複数の前記読み出しノードに転送された電荷を、複数の前記スイッチを導通させて、共通のバイパス配線を介して加算することを特徴とする撮像装置の駆動方法。
【請求項１１】
複数の前記スイッチを非導通として各画素の信号を独立に読みだすことを特徴とする請求項１０に記載の撮像装置の駆動方法。
【請求項１２】
前記共通のバイパス配線に前記第２のノードが接続されたスイッチのうち所定数のスイッチを導通させることで前記ノードの容量値を増大させることを特徴とする請求項１０または１１のいずれかに記載の撮像装置の駆動方法。
【請求項１３】
各画素列に設けられた複数の信号線に、複数の前記画素の信号を同時に出力させることを特徴とする請求項１０〜１２のいずれか１項に記載の撮像装置の駆動方法。
【請求項１４】
前記複数の信号線に同時に出力される信号は、複数の前記画素の信号を加算した信号であることを特徴とする請求項１３に記載の撮像装置の駆動方法。
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
センサ部と、
前記センサ部からの信号に基づいて、空間内に存在する実オブジェクト又は空間内に仮想的に配置された仮想オブジェクトに対するユーザの顔の向きを判定し、前記実オブジェクト又は前記仮想オブジェクトに対する顔の向きに応じた方向から前記実オブジェクト又は前記仮想オブジェクトについての１次情報が音出力部から聞こえてくるように音信号の出力を制御し、前記センサ部からの信号に基づいて前記１次情報に対するユーザのアクションを判定し、前記アクションに応じて、前記１次情報よりも詳しい内容の２次情報が前記音出力部から聞こえてくるように、前記音信号の出力を制御する制御部と
を具備する音制御装置。
【請求項２】
請求項１に記載の音制御装置であって、
通信部をさらに具備し、
前記制御部は、前記音制御装置の位置を測定し、前記通信部を介して、空間に存在する前記実オブジェクトの位置情報を取得し、各位置情報に基づいて、前記音制御装置及び前記実オブジェクトの距離を判定し、前記距離が所定の閾値以下となった場合に、前記実オブジェクトについての１次情報が前記音出力部から聞こえてくるように、音信号の出力を制御する
音制御装置。
【請求項３】
請求項１又は２に記載の音制御装置であって、
前記制御部は、前記１次情報に対するユーザのアクションとして、前記１次情報が聞こえた方向に顔を向ける動きを判定し、顔の向きが前記１次情報が聞こえた方向に近づくに従って、前記２次情報の音量が大きくなるように、前記音信号の出力を制御する
音制御装置。
【請求項４】
請求項３に記載の音制御装置であって、
前記制御部は、メインタスクを実行し、顔の向きが１次情報が聞こえた方向に近づくに従って、前記２次情報の音量が大きくなりつつ、前記メインタスクの音量が小さくなるように、前記音信号の出力を制御する
音制御装置。
【請求項５】
請求項１又は２に記載の音制御装置であって、
前記制御部は、前記１次情報に対するユーザのアクションとして、頭の上下方向への動きを判定し、上下方向へ頭が動かされた場合に、前記２次情報が前記音出力部から聞こえてくるように前記音信号の出力を制御する
音制御装置。
【請求項６】
請求項１又は２に記載の音制御装置であって、
前記制御部は、前記１次情報に対するユーザのアクションとして、ユーザが１次情報が聞こえた方向に顔を向けた状態での頭の動きを判定し、１次情報が聞こえた方向に顔を向けた状態での頭の動きに応じて、前記２次情報を音信号として出力するか否かを判定する
音制御装置。
【請求項７】
請求項６に記載の音制御装置であって、
前記制御部は、ユーザが１次情報が聞こえた方向に顔を向けた状態での頭の上下方向への動きを判定し、１次情報が聞こえた方向に顔を向けた状態での頭の上下方向への動きに応じて、前記２次情報が前記音出力部から聞こえてくるように、前記音信号の出力を制御する
音制御装置。
【請求項８】
請求項１乃至７のうちいずれか１項に記載の音制御装置であって、
前記制御部は、前記実オブジェクト又は前記仮想オブジェクトに対する顔の向きに応じた方向から前記２次情報が聞こえてくるように、前記音信号の出力を制御する
音制御装置。
【請求項９】
請求項１乃至８のうちいずれか１項に記載の音制御装置であって、
前記音出力部は、ヘッドホン又はイヤホンである
音制御装置。
【請求項１０】
音制御装置に、
センサ部からの信号に基づいて、空間内に存在する実オブジェクト又は空間内に仮想的に配置された仮想オブジェクトに対するユーザの顔の向きを判定するステップと、
前記実オブジェクト又は前記仮想オブジェクトに対する顔の向きに応じた方向から前記実オブジェクト又は前記仮想オブジェクトについての１次情報が音出力部から聞こえてくるように音信号の出力を制御するステップと、
前記センサ部からの信号に基づいて前記１次情報に対するユーザのアクションを判定するステップと、
前記アクションに応じて、前記１次情報よりも詳しい内容の２次情報が前記音出力部から聞こえてくるように、前記音信号の出力を制御するステップと
を実行させるプログラム。
【請求項１１】
センサ部からの信号に基づいて、空間内に存在する実オブジェクト又は空間内に仮想的に配置された仮想オブジェクトに対するユーザの顔の向きを判定し、
前記実オブジェクト又は前記仮想オブジェクトに対する顔の向きに応じた方向から前記実オブジェクト又は前記仮想オブジェクトについての１次情報が音出力部から聞こえてくるように音信号の出力を制御し、
前記センサ部からの信号に基づいて、前記１次情報に対するユーザのアクションを判定し、
前記アクションに応じて、前記１次情報よりも詳しい内容の２次情報が前記音出力部から聞こえてくるように、前記音信号の出力を制御する
制御方法。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
第１モードと第２モードとを含む複数のモードで動作可能な撮像装置であって、
複数のタイプの画素を含み、同じのタイプの画素には同じ色を透過するカラーフィルタが配されている複数の画素の画素値をデジタルデータとして取得し、２以上のタイプの画素のデジタルデータを含み、各タイプの画素のデジタルデータを２以上含む複数のデジタルデータを並列に出力する撮像部と、
前記第１モードにおいて、前記撮像部が並列に出力した複数のデジタルデータを複数のポートから出力し、
前記第２モードにおいて、前記撮像部が並列に出力した複数のデジタルデータから得られ、当該複数のデジタルデータよりも個数の少ないデジタルデータを前記複数のポートのうちの一部のポートから出力する変換部とを備え、
前記一部のポートはそれぞれ、前記第１モードと前記第２モードとにおいて、同じタイプの画素のデジタルデータを出力することを特徴とする撮像装置。
【請求項２】
前記変換部は、前記第２モードにおいて、同じタイプの複数の画素のデジタルデータから１つのデジタルデータを得ることによって、デジタルデータの個数を少なくすることを特徴とする請求項１に記載の撮像装置。
【請求項３】
前記複数のポートから出力されたデジタルデータの伝送形式を変換して信号処理部へ出力する伝送部を更に備えることを特徴とする請求項１又は２に記載の撮像装置。
【請求項４】
前記伝送部は、前記複数のポートのそれぞれに対して、該ポートから出力されたデジタルデータの前記伝送形式を変換する変換回路を備え、
前記一部のポートは第１ポートと第２ポートとを含み、
前記第１ポートに対する変換回路と前記第２ポートに対する変換回路との間に、前記複数のポートのうち前記第２モードにおいて使用されないポートに対する変換回路が配置され、
前記使用されないポートに対する変換回路は前記第２モードの間にオフとなる
ことを特徴とする請求項３に記載の撮像装置。
【請求項５】
前記変換回路はＬＶＤＳ回路を含み、
前記変換回路は、前記複数のポートから出力されたデジタルデータをＬＶＤＳ信号に変換する
ことを特徴とする請求項４に記載の撮像装置。
【請求項６】
前記撮像部は、前記画素値のデジタルデータをＩ個のＭビット・パラレルデータとして並列に出力し、
前記変換部は、
前記Ｉ個のＭビット・パラレルデータからＪ個のＭビット・パラレルデータを得る圧縮部と、
前記圧縮部から入力された前記Ｊ個のＭビット・パラレルデータのビットを入れ替えてＬ個のＰビット・パラレルデータを生成する第１データ変換部と、
前記撮像部から入力された前記Ｉ個のＭビット・パラレルデータのビットを入れ替えてＱ個のＰビット・パラレルデータを生成する第２データ変換部と、
前記第１モードにおいて前記第２データ変換部からの前記Ｐビット・パラレルデータをシリアルデータに変換して前記複数のポートから出力し、前記第２モードにおいて前記第１データ変換部からの前記Ｐビット・パラレルデータをシリアルデータに変換して前記一部のポートから出力するＰＳ変換部と、
を備えることを特徴とする請求項１乃至５の何れか１項に記載の撮像装置。
【請求項７】
前記変換部は、前記第２モードにおいて、複数のデジタルデータの加算、平均化、最大値の取得又は最小値の取得を行うことを特徴とする請求項１乃至６の何れか１項に記載の撮像装置。
【請求項８】
請求項１乃至７の何れか１項に記載の撮像装置と、
前記撮像装置から出力された信号を処理する信号処理部と、
を備えることを特徴とする撮像システム。
【手続補正２】
【補正対象書類名】明細書
【補正対象項目名】０００５
【補正方法】変更
【補正の内容】
【０００５】
上記課題に鑑みて、第１モードと第２モードとを含む複数のモードで動作可能な撮像装置であって、複数のタイプの画素を含み、同じのタイプの画素には同じ色を透過するカラーフィルタが配されている複数の画素の画素値をデジタルデータとして取得し、２以上のタイプの画素のデジタルデータを含み、各タイプの画素のデジタルデータを２以上含む複数のデジタルデータを並列に出力する撮像部と、前記第１モードにおいて、前記撮像部が並列に出力した複数のデジタルデータを複数のポートから出力し、前記第２モードにおいて、前記撮像部が並列に出力した複数のデジタルデータから得られ、当該複数のデジタルデータよりも個数の少ないデジタルデータを前記複数のポートのうちの一部のポートから出力する変換部とを備え、前記一部のポートはそれぞれ、前記第１モードと前記第２モードとにおいて、同じタイプの画素のデジタルデータを出力することを特徴とする撮像装置が提供される。
【手続補正３】
【補正対象書類名】明細書
【補正対象項目名】００３１
【補正方法】変更
【補正の内容】
【００３１】
上述されたように、変換部１２０から伝送部１３０へは１２本の信号線を介してデータが転送される。通常モードにおいては、この１２本の信号線をすべて用いてデータが転送されるが、圧縮モードでは１２本の信号線のうち４本を用いてデータが転送される。そこで、圧縮モードでは、ａｄｄ＿ｍｄ信号をＨｉｇｈにして、データ処理を行わないＬＶＤＳ回路の電源をオフする。上述の例では、圧縮モードにおいて８個のＬＶＤＳ回路の電源をオフにできる。その結果、圧縮モードでは通常モードと比較して伝送部１３０の消費電力を１／３に低減できる。伝送部１３０は固体撮像装置１００の他の構成要素と比較して消費電力が大きいため、伝送部１３０での消費電力の低減は固体撮像装置１００全体の消費電力の低減に大きく寄与する。また、ＰＳ変換部１２５を１２本の信号線ごとに動作を停止可能なように構成してもよい。そして、圧縮モードおいて使用されない信号線に対応するＰＳ変換動作を停止する。これは例えばＰＳ変換部１２５で使用しているクロックを止めることによって実現されうる。これにより、圧縮モードでは通常モードと比較してＰＳ変換部１２５の消費電力も１／３に低減できる。
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
撮影レンズと、
前記撮影レンズを介して被写体を撮像して電子的な画像データを生成する撮像部と、
前記撮像部により生成された前記画像データに対応する画像を表示する表示部と、
前記表示部上に設けられ、タッチ位置に応じた座標信号を出力するタッチパネルと、
前記撮影レンズのレンズ鏡胴本体の外周部に配設され、前記撮影レンズの光軸に対して回転自在な操作部材と、
前記タッチパネルから出力された前記座標信号に基づいて、前記タッチ位置の画像の特徴を判定し、該判定結果を前記表示部に表示させる制御部と、
を備えたことを特徴とする撮像装置。
【請求項２】
前記制御部は、
前記判定結果に基づいて、前記操作部材で調整可能な複数の撮影パラメータ候補を示す補助表示および前記判定結果を前記画像に重畳して前記表示部に表示させ、
前記タッチパネルから出力される前記座標信号に応じて選択された前記撮影パラメータを、前記操作部材の操作に応じて変更する
ことを特徴とする請求項１に記載の撮像装置。
【請求項３】
前記複数の撮影パラメータ候補は、露出補正、絞り、シャッタスピード、感度、色調およびピント位置であることを特徴とする請求項２に記載の撮像装置。
【請求項４】
撮影レンズと、前記撮影レンズを介して被写体を撮像して電子的な画像データを生成する撮像部と、前記撮像部により生成された前記画像データに対応する画像を表示する表示部と、前記表示部上に設けられ、タッチ位置に応じた座標信号を出力するタッチパネルと、前記撮影レンズのレンズ鏡胴本体の外周部に配設され、前記撮影レンズの光軸に対して回転自在な操作部材と、を備えた撮像装置が実行する撮像方法であって、
前記タッチパネルから出力された前記座標信号に基づいて、前記タッチ位置の画像の特徴を判定する判定ステップと、
前記判定ステップで判定された判定結果を前記表示部に表示させる制御ステップと、
を含むことを特徴とする撮像方法。
【手続補正書】
【提出日】平成26年5月28日(2014.5.28)
【手続補正１】
【補正対象書類名】明細書
【補正対象項目名】発明の名称
【補正方法】変更
【補正の内容】
【発明の名称】ラッチ回路
【手続補正２】
【補正対象書類名】特許請求の範囲
【補正対象項目名】全文
【補正方法】変更
【補正の内容】
【特許請求の範囲】
【請求項１】
インバータと、第１のトランジスタと、第２のトランジスタと、を有するラッチ回路であって、
前記ラッチ回路は、第１の入力端子と、第２の入力端子と、出力端子と、を有し、
前記インバータの入力端子は、前記第１の入力端子と電気的に接続され、
前記インバータの出力端子は、前記第２のトランジスタのソースまたはドレインの一方と電気的に接続され、
前記第１のトランジスタのゲートは、前記第１の入力端子と電気的に接続され、
前記第１のトランジスタのソースまたはドレインの一方は、前記出力端子と電気的に接続され、
前記第１のトランジスタのソースまたはドレインの他方は、前記第２の入力端子と電気的に接続され、
前記第２のトランジスタのゲートは、前記第２の入力端子と電気的に接続され、
前記第２のトランジスタのソースまたはドレインの他方は、前記出力端子と電気的に接続され、
前記第１のトランジスタと前記第２のトランジスタとは、酸化物半導体を有することを特徴とするラッチ回路。
【請求項２】
ＯＲゲートと、トランジスタを有するラッチ回路であって、
前記ラッチ回路は、第１の入力端子と、第２の入力端子と、出力端子と、を有し、
前記ＯＲゲートの第１の入力端子は、前記第１の入力端子と電気的に接続され、
前記ＯＲゲートの第２の入力端子は、前記第２の入力端子と電気的に接続され、
前記ＯＲゲートの出力端子は、前記トランジスタのゲートと電気的に接続され、
前記トランジスタのソースまたはドレインの一方は、前記第２の入力端子と電気的に接続され、
前記トランジスタのソースまたはドレインの他方は、前記出力端子と電気的に接続され、
前記トランジスタは、酸化物半導体を有することを特徴とするラッチ回路。
【請求項３】
第１のインバータと、第２のインバータと、第１のトランジスタと、第２のトランジスタと、を有するラッチ回路であって、
前記ラッチ回路は、第１の入力端子と、第２の入力端子と、出力端子と、を有し、
前記第１のインバータの入力端子は、前記第１の入力端子と電気的に接続され、
前記第１のインバータの出力端子は、前記第１のトランジスタのゲートと電気的に接続され、
前記第１のインバータの出力端子は、前記第２のトランジスタのソースまたはドレインの一方と電気的に接続され、
前記第２のインバータの入力端子は、前記第２の入力端子と電気的に接続され、
前記第２のインバータの出力端子は、前記第２のトランジスタのゲートと電気的に接続され、
前記第１のトランジスタのソースまたはドレインの一方は、前記出力端子と電気的に接続され、
前記第１のトランジスタのソースまたはドレインの他方は、前記第２の入力端子と電気的に接続され、
前記第２のトランジスタのソースまたはドレインの他方は、前記出力端子と電気的に接続され、
前記第１のトランジスタと前記第２のトランジスタとは、酸化物半導体を有することを特徴とするラッチ回路。
【請求項４】
ＮＡＮＤゲートと、トランジスタと、を有するラッチ回路であって、
前記ラッチ回路は第１の入力端子と、第２の入力端子と、出力端子と、を有し、
前記ＮＡＮＤゲートの第１の入力端子は、前記第１の入力端子と電気的に接続され、
前記ＮＡＮＤゲートの第２の入力端子は、前記第２の入力端子と電気的に接続され、
前記ＮＡＮＤゲートの出力端子は、前記トランジスタのゲートと電気的に接続され、
前記トランジスタのソースまたはドレインの一方は、前記第２の入力端子と電気的に接続され、
前記トランジスタのソースまたはドレインの他方は、前記出力端子と電気的に接続され、
前記トランジスタは、酸化物半導体を有することを特徴とするラッチ回路。
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
複数の受信アンテナを備える複数の受信端末装置とリレー局装置を介してマルチユーザＭＩＭＯ下りリンクリレー伝送を行う基地局装置であって、
前記リレー局装置におけるユーザ間干渉を抑圧するように送信ウェイトを乗算することを特徴とする基地局装置。
【請求項２】
基地局装置と複数の受信アンテナを備える複数の受信端末装置と通信するリレー局装置であって、
前記基地局装置から送信ウェイトを乗算された信号を受信し、前記受信した信号に対して前記各受信端末装置におけるユーザ間干渉を抑圧するような送信ウェイトを乗算することを特徴とするリレー局装置。
【請求項３】
前記リレー局装置は、マルチユーザＭＩＭＯで多重する受信端末装置を選択することを特徴とする請求項２に記載のリレー局装置。
【請求項４】
複数の受信アンテナを備える複数の受信端末装置とリレー局装置を介してマルチユーザＭＩＭＯ下りリンクリレー伝送を行う基地局装置における通信方法であって、
前記リレー局装置におけるユーザ間干渉を抑圧するように送信ウェイトを乗算することを特徴とする通信方法。
【請求項５】
基地局装置と複数の受信アンテナを備える複数の受信端末装置と通信するリレー局装置における通信方法であって、
前記基地局装置から送信ウェイトを乗算された信号を受信し、前記受信した信号に対して前記各受信端末装置におけるユーザ間干渉を抑圧するような送信ウェイトを乗算することを特徴とする通信方法。
【手続補正２】
【補正対象書類名】明細書
【補正対象項目名】発明の名称
【補正方法】変更
【補正の内容】
【発明の名称】基地局装置、リレー局装置及び通信方法
【手続補正書】
【提出日】平成26年6月12日(2014.6.12)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
フリップフロップと、トランジスタと、容量素子と、を有し、
前記トランジスタのソース又はドレインの一方は、前記フリップフロップと電気的に接続され、
前記トランジスタのソース又はドレインの他方は、前記容量素子の一方の電極と電気的に接続され、
前記トランジスタは、酸化物半導体を有することを特徴とする半導体装置。
【請求項２】
フリップフロップと、トランジスタと、容量素子と、を有し、
前記トランジスタのソース又はドレインの一方は、前記フリップフロップと電気的に接続され、
前記トランジスタのソース又はドレインの他方は、前記容量素子の一方の電極と電気的に接続され、
前記トランジスタは、酸化物半導体を有し、
前記トランジスタがオフ状態となることにより、前記容量素子の一方の電極と電気的に接続されたノードが浮遊状態となることを特徴とする半導体装置。
【請求項３】
請求項１又は２において、
前記酸化物半導体は、インジウムと、ガリウムと、亜鉛と、を有することを特徴とする半導体装置。
【手続補正書】
【提出日】平成26年9月4日(2014.9.4)
【手続補正１】
【補正対象書類名】明細書
【補正対象項目名】発明の名称
【補正方法】変更
【補正の内容】
【発明の名称】半導体装置の駆動方法
【手続補正２】
【補正対象書類名】特許請求の範囲
【補正対象項目名】全文
【補正方法】変更
【補正の内容】
【特許請求の範囲】
【請求項１】
受光素子と、スイッチング素子であるトランジスタと、前記トランジスタを介して前記受光素子と電気的に接続する電荷保持ノードとを有する半導体装置の駆動方法であって、
導通状態から非導通状態とするために前記トランジスタへ供給する駆動パルスの入力波形の立ち下がり時間を遅延させ、前記電荷保持ノードが保持する電荷の減少を抑制する半導体装置の駆動方法。
【請求項２】
受光素子と、スイッチング素子であるトランジスタと、前記トランジスタを介して前記受光素子と電気的に接続する電荷保持ノードとを有するフォトセンサと、前記トランジスタを制御する信号線と電気的に接続する容量とを有する半導体装置の駆動方法であって、
導通状態から非導通状態とするために前記トランジスタへ供給する駆動パルスの入力波形の立ち下がり時間を、前記容量を用いて遅延させ、前記電荷保持ノードが保持する電荷の減少を抑制する半導体装置の駆動方法。
【請求項３】
請求項１または２において、
前記トランジスタのチャネル形成領域は、酸化物半導体からなる半導体装置の駆動方法。
【手続補正書】
【提出日】平成26年10月21日(2014.10.21)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１の記憶部と、第２の記憶部と、を有し、
前記第１の記憶部は、揮発性の記憶部であり、
前記第１の記憶部は、電源電位が供給される期間においてデータ信号を保持する機能を有し、
前記第２の記憶部は、第１のトランジスタと、第２のトランジスタと、昇圧回路と、を有し、
前記昇圧回路は、前記第１のトランジスタのゲートに印加する電位を前記電源電位よりも高くする機能を有し、
前記第１のトランジスタは、酸化物半導体層にチャネルが形成され、
前記第２のトランジスタは、シリコン層またはシリコン基板にチャネルが形成され、
前記第１のトランジスタのソースまたはドレインの一方は、前記第２のトランジスタのゲートと電気的に接続され、
前記第１の記憶部に保持されたデータ信号は、導通状態となった前記第１のトランジスタを介いて前記第２の記憶部に入力され、
前記第２の記憶部は、前記第１のトランジスタを非導通状態とすることによって、前記第１の記憶部への前記電源電位の供給が停止した後も前記データ信号を保持し、
前記第１の記憶部への前記電源電位の供給が再開した後、前記第２の記憶部に保持されていた前記データ信号は、前記第２のトランジスタの導通状態または非導通状態を示す信号に変換され、前記第２の記憶部から出力され、前記第１の記憶部に入力されることを特徴とする半導体装置。
【請求項２】
請求項１において、
前記第２のトランジスタは、前記第１のトランジスタと積層して設けられることを特徴とする半導体装置。
【手続補正書】
【提出日】平成26年6月5日(2014.6.5)
【手続補正１】
【補正対象書類名】明細書
【補正対象項目名】０００７
【補正方法】変更
【補正の内容】
【０００７】
本発明の目的を達成するために、例えば、本発明の制御装置は、縦横比の異なる画像を撮像する撮像装置のパン角、チルト角、ローテート角のうち少なくとも１つを制御可能な制御装置であって、
前記パン角、前記チルト角のうち１つを制御対象角として制御するための制御コマンドを受信した場合、前記撮像装置の制御対象角が変更可能か否かを判断する判断手段と、
前記判断手段によって前記撮像装置の制御対象角が変更不可能と判断された場合、前記制御対象角は変更することなく、前記撮像装置のローテート角を規定量だけ変更する制御手段と
を備えることを特徴とする。
【手続補正２】
【補正対象書類名】特許請求の範囲
【補正対象項目名】全文
【補正方法】変更
【補正の内容】
【特許請求の範囲】
【請求項１】
縦横比の異なる画像を撮像する撮像装置のパン角、チルト角、ローテート角のうち少なくとも１つを制御可能な制御装置であって、
前記パン角、前記チルト角のうち１つを制御対象角として制御するための制御コマンドを受信した場合、前記撮像装置の制御対象角が変更可能か否かを判断する判断手段と、
前記判断手段によって前記撮像装置の制御対象角が変更不可能と判断された場合、前記制御対象角は変更することなく、前記撮像装置のローテート角を規定量だけ変更する制御手段と
を備えることを特徴とする制御装置。
【請求項２】
前記制御手段は、前記撮像装置の制御対象角が上限値に達している状態で、外部から受信した制御コマンドが該制御対象角を該上限値を超える値に変更することを指示している場合、前記撮像装置の制御対象角は変更することなく、前記撮像装置のローテート角を前記規定量だけ変更することを特徴とする請求項１に記載の制御装置。
【請求項３】
前記制御手段は、前記撮像装置の制御対象角は変更することなく前記撮像装置のローテート角を前記規定量だけ変更したあと、前記撮像装置の制御対象角が上限値に達している状態で、外部から受信した制御コマンドが該制御対象角を該上限値を超えない値に変更することを指示している場合、前記撮像装置のローテート角を規定の値に変更することを特徴とする請求項１又は２に記載の制御装置。
【請求項４】
更に、前記撮像装置により撮像された画像のうち特定の領域を切り出して表示する表示手段を備えることを特徴とする請求項１乃至３の何れか１項に記載の制御装置。
【請求項５】
更に、前記制御手段によるローテート角の変更中に、ローテート角の変更中であることを示すメッセージを外部に対して出力する出力手段を備えることを特徴とする請求項１乃至３の何れか１項に記載の制御装置。
【請求項６】
縦横比の異なる画像を撮像する撮像装置のパン角、チルト角、ローテート角のうち少なくとも１つを制御可能な制御装置の制御方法であって、
前記制御装置の判断手段が、前記パン角、前記チルト角のうち１つを制御対象角として制御するための制御コマンドを受信した場合、前記撮像装置の制御対象角が変更可能か否かを判断する判断工程と、
前記制御装置の制御手段が、前記判断工程で前記撮像装置の制御対象角が変更不可能と判断された場合、前記制御対象角は変更することなく、前記撮像装置のローテート角を規定量だけ変更する制御工程と
を備えることを特徴とする制御装置の制御方法。
【手続補正書】
【提出日】平成26年6月9日(2014.6.9)
【手続補正１】
【補正対象書類名】明細書
【補正対象項目名】０００９
【補正方法】変更
【補正の内容】
【０００９】
本発明の目的を達成するために、たとえば本発明の画像処理装置は、動画像を構成するフレーム内のオブジェクトに応じた特定領域を抽出する抽出手段と、
前記抽出手段が抽出した特定領域から、他の領域よりも高い画質で符号化されるべき特定領域を選択領域として選択する選択手段と、
前記選択手段により選択された選択領域を前記他の領域よりも高い画質で符号化する為の符号化パラメータを用いて、前記フレームに対応する画像データを符号化する符号化手段とを備え、
前記選択手段は、第１フレームから抽出された特定領域から１つ以上の選択領域を第１の選択領域として選択した場合、前記第１フレームから第２フレームまでの選択領域として、前記第１の選択領域に対応する特定領域を選択すると共に、前記第２フレームの次の第３フレームの選択領域として、前記第１の選択領域に対応する特定領域とは異なる特定領域を選択する
ことを特徴とする。
【手続補正２】
【補正対象書類名】特許請求の範囲
【補正対象項目名】全文
【補正方法】変更
【補正の内容】
【特許請求の範囲】
【請求項１】
動画像を構成するフレーム内のオブジェクトに応じた特定領域を抽出する抽出手段と、
前記抽出手段が抽出した特定領域から、他の領域よりも高い画質で符号化されるべき特定領域を選択領域として選択する選択手段と、
前記選択手段により選択された選択領域を前記他の領域よりも高い画質で符号化する為の符号化パラメータを用いて、前記フレームに対応する画像データを符号化する符号化手段とを備え、
前記選択手段は、第１フレームから抽出された特定領域から１つ以上の選択領域を第１の選択領域として選択した場合、前記第１フレームから第２フレームまでの選択領域として、前記第１の選択領域に対応する特定領域を選択すると共に、前記第２フレームの次の第３フレームの選択領域として、前記第１の選択領域に対応する特定領域とは異なる特定領域を選択する
ことを特徴とする画像処理装置。
【請求項２】
更に、
前記第３フレームから抽出された特定領域に対応する対応特定領域が抽出された他のフレームのうち、該対応特定領域が選択領域として選択された他のフレームと、前記第３フレームとの距離を特定する特定手段を備え、
前記選択手段は、前記第３フレームから所定数より多くの特定領域が抽出された場合、前記第３フレームの前記所定数の選択領域を前記距離に基づいて選択することを特徴とする請求項１に記載に画像処理装置。
【請求項３】
前記選択手段は、前記第３フレームから所定数より多くの特定領域が抽出された場合、該特定領域のそれぞれに対応する距離のうち最も長い距離に対応する特定領域から前記所定数の特定領域を前記第３フレームの選択領域として選択することを特徴とする請求項２に記載の画像処理装置。
【請求項４】
前記選択手段は、前記第１フレームの次のフレームから前記第３フレームまでのフレームにおいて新たに検出されたオブジェクトに応じた特定領域に対応する前記第３フレームの特定領域を、前記第３フレームの選択領域として選択することを特徴とする請求項１に記載の画像処理装置。
【請求項５】
前記選択手段は、前記第３フレームから所定数より多くの特定領域が抽出された場合、該特定領域の前記第３フレーム内の位置に基づいて前記第３フレームの前記所定数の選択領域を選択することを特徴とする請求項１に記載の画像処理装置。
【請求項６】
前記選択手段は、前記第３フレームから所定数より多くの特定領域が抽出された場合、該特定領域に対応するオブジェクトの動きの速度に基づいて前記第３フレームの前記所定数の選択領域を選択することを特徴とする請求項１に記載の画像処理装置。
【請求項７】
前記選択手段は、前記第３フレームから所定数より多くの特定領域が抽出された場合、該特定領域に対応する他のフレームの特定領域が選択領域として選択された回数に基づいて前記第３フレームの前記所定数の選択領域を選択することを特徴とする請求項１に記載の画像処理装置。
【請求項８】
更に、
前記抽出手段により抽出された特定領域の面積に関する情報を取得する取得手段を備え、
前記選択手段は、前記フレームの選択領域として選択された１つ以上の特定領域の面積の合計が所定面積よりも小さくなるように選択領域を選択することを特徴とする請求項１に記載の画像処理装置。
【請求項９】
前記符号化手段は、前記符号化パラメータの制御として、前記選択手段により選択された選択領域を量子化するための量子化ステップを前記他の領域の量子化ステップよりも小さくする制御を行うことを特徴とする請求項１乃至８の何れか１項に記載の画像処理装置。
【請求項１０】
画像処理装置が行う画像処理方法であって、
前記画像処理装置の抽出手段が、動画像を構成するフレーム内のオブジェクトに応じた特定領域を抽出する抽出工程と、
前記画像処理装置の選択手段が、前記抽出工程で抽出した特定領域から、他の領域よりも高い画質で符号化されるべき特定領域を選択領域として選択する選択工程と、
前記画像処理装置の符号化手段が、前記選択工程で選択された選択領域を前記他の領域よりも高い画質で符号化する為の符号化パラメータを用いて、前記フレームに対応する画像データを符号化する符号化工程とを備え、
前記選択工程では、第１フレームから抽出された特定領域から１つ以上の選択領域を第１の選択領域として選択した場合、前記第１フレームから第２フレームまでの選択領域として、前記第１の選択領域に対応する特定領域を選択すると共に、前記第２フレームの次の第３フレームの選択領域として、前記第１の選択領域に対応する特定領域とは異なる特定領域を選択する
ことを特徴とする画像処理方法。
【請求項１１】
更に、
前記画像処理装置の特定手段が、前記第３フレームから抽出された特定領域に対応する対応特定領域が抽出された他のフレームのうち、該対応特定領域が選択領域として選択された他のフレームと、前記第３フレームとの距離を特定する特定工程を備え、
前記選択工程では、前記第３フレームから所定数より多くの特定領域が抽出された場合、前記第３フレームの前記所定数の選択領域を前記距離に基づいて選択することを特徴とする請求項１０に記載に画像処理方法。
【請求項１２】
前記選択工程では、前記第３フレームから所定数より多くの特定領域が抽出された場合、該特定領域のそれぞれに対応する距離のうち最も長い距離に対応する特定領域から前記所定数の特定領域を前記第３フレームの選択領域として選択することを特徴とする請求項１１に記載の画像処理方法。
【請求項１３】
コンピュータを、請求項１乃至９の何れか１項に記載の画像処理装置の各手段として機能させるためのコンピュータプログラム。
【手続補正３】
【補正対象書類名】図面
【補正対象項目名】図１
【補正方法】変更
【補正の内容】
【図１】
2012257125.tif 000001
【手続補正書】
【提出日】平成26年6月12日(2014.6.12)
【手続補正１】
【補正対象書類名】明細書
【補正対象項目名】０００６
【補正方法】変更
【補正の内容】
【０００６】
このように従来の色にじみ軽減処理では、入力カラー画像には無かったノイズが発生するという問題や、色にじみ領域とその周辺領域のシャープネスが損なわれるという問題がある。
【手続補正２】
【補正対象書類名】明細書
【補正対象項目名】００１５
【補正方法】変更
【補正の内容】
【００１５】
ＡＤ変換部１３０では、イメージセンサからアナログ電圧として出力される色モザイク画像を画像処理に適するデジタルデータへと変換する。
【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
二次電池の電圧を監視し、充放電制御スイッチを開閉することによって前記二次電池の充放電を制御する充放電制御回路であって、
前記二次電池の電圧を監視する充放電監視回路と、
外部から前記充放電制御回路の動作を制御する信号が入力される外部信号検出回路と、
前記充放電制御回路に流れる電流を制御するスイッチ回路と、
前記電充放電監視回路と前記外部信号検出回路の信号が入力され、前記充放電制御スイッチと前記スイッチ回路を制御する制御回路と、を備え
前記制御回路は、前記外部信号検出回路の信号が入力されると、前記放電制御スイッチと前記スイッチ回路をオフする、
ことを特徴とする充放電制御回路。
【請求項２】
前記スイッチ回路は、
前記外部信号検出回路の電源端子に接続された第一のスイッチ回路と、前記充放電監視回路の電源端子に接続された第二のスイッチ回路と、
を備えることを特徴とする請求項１に記載の充放電制御回路。
【請求項３】
充放電が可能な前記二次電池と、
前記二次電池の充放電経路に設けられた前記充放電制御スイッチと、
前記二次電池の電圧を監視し、前記充放電制御スイッチを開閉することによって前記二次電池の充放電を制御する請求項１または２に記載の充放電制御回路と、
を備えたバッテリ装置。
【手続補正２】
【補正対象書類名】明細書
【補正対象項目名】００１５
【補正方法】変更
【補正の内容】
【００１５】
次に第一の実施形態の充放電制御回路及びバッテリ装置の動作について説明する。
二次電池１０１が接続されると、制御回路１１３は信号を出力し、スイッチ回路１１２とスイッチ回路１１４をオンさせて充放電監視回路１１１及び外部信号検出回路１１５を動作させる。外部端子１５７、１５８間に充電器１０６が接続され二次電池１０１が過充電状態になると、充放電監視回路１１１は過充電を検出して制御回路１１３に過充電禁止信号を出力する。制御回路１１３は過充電禁止信号を受けて端子１５４にＬｏを出力してＮｃｈ充電ＦＥＴ１０８をオフさせて保護をかける。外部端子１５７、１５８間に負荷１０５が接続され二次電池１０１が過放電状態になると、充放電監視回路１１１は過放電を検出して制御回路１１３に過放電禁止信号を出力する。制御回路１１３は過放電禁止信号を受けて端子１５３にＬｏを出力してＮｃｈ放電ＦＥＴ１０７をオフさせて保護をかける。外部端子１５７、１５８が短絡され二次電池１０１が過電流状態になると、充放電監視回路１１１は端子１５６の電圧が上昇した事を検出して制御回路１１３に過電流禁止信号を出力する。制御回路１１３は過電流禁止信号を受けて端子１５３にＬｏを出力してＮｃｈ充電ＦＥＴ１０７をオフさせて保護をかける。
【手続補正３】
【補正対象書類名】明細書
【補正対象項目名】００２１
【補正方法】変更
【補正の内容】
【００２１】
次に第二の実施形態の充放電制御回路及びバッテリ装置の動作について説明する。
二次電池１０１が接続されると、制御回路１１３は信号を出力し、スイッチ回路１１２とスイッチ回路１１４をオンさせて充放電監視回路１１１及び外部信号検出回路１１５を動作させる。外部端子１５７、１５８間に充電器１０６が接続され二次電池１０１が過充電状態になると、充放電監視回路１１１は過充電を検出して制御回路１１３に過充電禁止信号を出力する。制御回路１１３は過充電禁止信号を受けて端子１５４にＨｉを出力してＰｃｈ充電ＦＥＴ２０８をオフさせて保護をかける。外部端子１５７、１５８間に負荷１０５が接続され二次電池１０１が過放電状態になると、充放電監視回路１１１は過放電を検出して制御回路１１３に過放電禁止信号を出力する。制御回路１１３は過放電禁止信号を受けて端子１５３にＨｉを出力してＰｃｈ放電ＦＥＴ２０７をオフさせて保護をかける。外部端子１５７、１５８が短絡され二次電池１０１が過電流状態になると、充放電監視回路１１１は端子１５６の電圧が上昇した事を検出して制御回路１１３に過電流禁止信号を出力する。制御回路１１３は過電流禁止信号を受けて端子１５３にＨｉを出力してＰｃｈ充電ＦＥＴ２０７をオフさせて保護をかける。